【事件の表示】
　特願２００２−　９５２４５「印刷システム、印刷装置、印刷データ送信装置、プログラム」拒絶査定不服審判事件〔平成１５年１０月１４日出願公開、特開２００３−２９１４７２〕について、次のとおり審決する。
【結　論】
　本件審判の請求は、成り立たない。
【理　由】
 
第１．手続の経緯
　本願は、平成１４年３月２９日の出願であって、平成１８年５月１５日付けで拒絶査定がなされ、これに対し、同年６月２２日付けで拒絶査定に対する審判請求がなされるとともに、同年７月２１日付けで明細書に係る手続補正がなされたものである。
　さらに、平成１８年８月３１日付けで審査官により作成された前置報告書について、平成２０年６月４日付けで審尋がなされたところ、審判請求人から同年８月８日付けで回答書が提出されたものである。
　
　
第２．平成１８年７月２１日付けの手続補正についての補正却下の決定
［補正却下の決定の結論］
　平成１８年７月２１日付けの手続補正（以下、「本件補正」という。）を却下する。
　
［理由］
１．補正の内容
　本件補正は、特許請求の範囲を補正する内容を含んでおり、本件補正により、特許請求の範囲の請求項１は、
「　印刷データを送信する印刷データ送信手段と、
　前記印刷データ送信手段によって送信された印刷データを受信する印刷データ受信手段と、
　印刷対象物を着色する処理を行う着色手段と、
　少なくとも、前記印刷データ受信手段によって受信された印刷データを解釈する処理、搬送機構を駆動することで前記印刷対象物を搬送する処理、及び、前記着色手段へ前記印刷データを解釈した結果を供給する処理を行うことにより、前記印刷対象物に対する着色を実行する実印刷処理をする実印刷手段と、
　を備える印刷システムにおいて、
　少なくとも前記搬送機構を駆動することで前記印刷対象物を搬送する処理を行うことなく、前記印刷対象物を搬送する処理を行ったと仮定して前記実印刷処理にて行われる他の処理を行う仮想印刷処理を要求するための仮想印刷要求を送信する仮想印刷要求送信手段と、
　前記仮想印刷要求送信手段によって送信された仮想印刷要求を受信する仮想印刷要求受信手段と、
　前記仮想印刷要求受信手段によって仮想印刷要求が受信された場合に、前記印刷データ受信手段によって受信された印刷データに基づき前記仮想印刷処理を行う仮想印刷手段と、
　前記印刷データ受信手段によって受信された印刷データに関する前記仮想印刷手段による仮想印刷処理が正常に完了したか否かを示す仮想印刷結果を出力する仮想印刷結果出力手段と、
　前記仮想印刷手段による印刷データに基づく仮想印刷処理の開始時から前記仮想印刷手段によって仮想印刷処理された印刷データと同一の印刷データについての前記実印刷手段による実印刷処理が完了するまで当該印刷データ以外の印刷データによる前記仮想印刷処理及び前記実印刷処理を禁止する印刷禁止手段と
　を備えることを特徴とする印刷システム。」
から
「　実印刷処理の要求に係る印刷データおよび仮想印刷処理の要求に係る印刷データをそれぞれ送信する印刷データ送信手段と、
　前記印刷データ送信手段によって送信された印刷データを受信する印刷データ受信手段と、
　印刷対象物を着色する処理を行う着色手段と、
　少なくとも、前記印刷データ受信手段によって受信された前記実印刷処理の要求に係る印刷データを解釈する処理、搬送機構を駆動することで前記印刷対象物を搬送する処理、及び、前記着色手段へ前記印刷データを解釈した結果を供給する処理を行うことにより、前記印刷対象物に対する着色を実行する実印刷処理をする実印刷手段と、
　を備える印刷システムにおいて、
　少なくとも前記搬送機構を駆動することで前記印刷対象物を搬送する処理を行うことなく、前記印刷対象物を搬送する処理を行ったと仮定した場合の該仮想印刷処理に必要な前記印刷対象物の枚数を検知し、前記実印刷処理にて行われる他の処理を行うための、仮想印刷処理を要求するための仮想印刷要求を送信する仮想印刷要求送信手段と、
　前記仮想印刷要求送信手段によって送信された仮想印刷要求を受信する仮想印刷要求受信手段と、
　前記仮想印刷要求受信手段によって仮想印刷要求が受信された場合に、前記印刷データ受信手段によって受信された前記仮想印刷処理の要求に係る印刷データに基づき前記仮想印刷処理を行う仮想印刷手段と、
　前記印刷データ受信手段によって受信された前記仮想印刷処理の要求に係る印刷データに関する前記仮想印刷手段による仮想印刷処理が正常に完了したか否かを示す仮想印刷結果を出力する仮想印刷結果出力手段と、
　前記仮想印刷手段による印刷データに基づく仮想印刷処理の開始時から前記仮想印刷手段によって仮想印刷処理された印刷データと同一の実印刷処理の要求に係る印刷データについての前記実印刷手段による実印刷処理が完了するまで当該印刷データ以外の印刷データによる前記仮想印刷処理及び前記実印刷処理を禁止する印刷禁止手段と
　を備えることを特徴とする印刷システム。」
に補正された。
　上記補正は、補正前の請求項１に記載した発明を特定するために必要な事項である「印刷データ」を明確化するべく、「前記仮想印刷処理の要求に係る印刷データ」及び「実印刷処理の要求に係る印刷データ」と補正するとともに、同じく補正前の請求項１に記載した発明を特定するために必要な事項である「仮想印刷処理を要求するための仮想印刷要求を送信する仮想印刷要求送信手段」に関して、「該仮想印刷処理に必要な前記印刷対象物の枚数を検知」する点を限定したものであるから、上記補正は、全体として、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　　
２．独立特許要件について
（１）刊行物に記載された発明
（刊行物１について）
　原査定の拒絶の理由に引用された特開平７−１６０４４３号公報（以下、「刊行物１」という。）には、図面とともに、以下の記載がある。（下線は当審にて付与した。）
（１−ａ）「【請求項１】  
上位装置から出力されてきた印刷データに基づく可視画像を所定の記録媒体上に記録し、出力する印刷装置において、前記上位装置から所定の指示情報を受けた場合、それ以降に受信した印刷データに対しては、装置内部で通常の印刷処理と同様の処理を行ないないながらも、実際の記録媒体上へに記録を不能する手段と、少なくとも、前記手段で印刷処理を行った結果、或はその処理中の状態を前記上位装置に出力する出力手段とを備えることを特徴とする印刷装置
　
（１−ｂ）「【０００２】
【従来の技術】
ホストコンピュータから送られる印刷データを、ＬＢＰのようなページプリンタで印刷する場合、そのページプリンタが１ページ分のフルビットマップメモリを有さない場合（バンド単位に印刷するページプリンタの場合）には、前記印刷データの内容が複雑すぎたり、データ量が非常に多い場合は印刷できずにエラーとなる場合がある
【０００３】これは、ビットマップイメージを１ページ分の一部いわゆるバンドとして待たざるを得ないためにめ、データの内容が複雑すぎたりデータ量が非常に多くて、データの展開が印刷動作に間に合わなくなるという場合に発生する。
【０００４】
【発明が解決しようとする課題】
このような問題を防ぐには、基本的にはプリンタにフルビットマップメモリ分の容量のメモリを搭載すれば良いのであるが、コストアップになる。しかしながら、一方では、ほとんどの場合の印刷には十分対応できるのであるから、必要以上のメモリを搭載させるとしても、そのメモリが無駄になる
【０００５】さて、このようなエラーが発生するか否かは、実際に印刷動作としなければならないが、それでは記録媒体である記録紙が無駄になってしまうという問題が残る。」
　
（１−ｃ）「【００１２】図１において、１０１は本レーザビームプリンタへデータを送るホストコンピュータ、１２１〜１２８はホストコンピュータ１０１と本レーザビームプリンタ間のインタフェース（Ｉ／Ｆ）信号である。
【００１３】また、実施例のレーザビームプリンタは以下の構成を備える。
【００１４】１０２はホストコンピュータ１０１との信号の授受を行う為のホストＩ／Ｆ、１０３は装置全体の制御を司るＣＰＵ、１０４はＲＡＭで、更に受信バッファ１０５、ページメモリ１０６、ビットマップメモリ１０７で構成される。１１０はＲＯＭであり、ＣＰＵ１０３の動作プログラム（後述する）が格納されているプログラムＲＯＭ１１１と文字フォントデータが格納されているフォントＲＯＭ１１２とで構成される。１１４はシステムバスである。
【００１５】
１１５は図７に示す印刷部（プリンタエンジン部）にビットマップメモリ１０７内に展開されたビットマップデータを所定のタイミングで転送する印刷部Ｉ／Ｆ
１１７は印刷シミュレーション部
【００１６】図７を用いて
実施例のレーザビームプリンタ
【００１７】同図において、
７４０はＬＢＰ本体
現像ユニット７０７により現像された後、記録紙に転写される
　
（１−ｄ）「【００２９】
１ページ分の印刷データがページメモリ１０６にストアされると、ＣＰＵ１０３はページメモリ１０６から印刷データを順に読み出して解釈し、必要に応じてＲＯＭ１０８内のフォントＲＯＭ１１２内に参照する事によってドットデータに変換し、ビットマップメモリ１０７へストアする
【００３０】ビットマップメモリ１０７内のデータのストア状態を図３に示す。
【００３１】図３において、３０２は１ライン分のドットデータがストアされており、３０１はフラグ領域であり、ドットデータがストアされている場合に“１”がセットされる。そして、印刷部Ｉ／Ｆが印刷部へドットデータを送り出すべく読み出した際に０にリセットされる。
【００３２】即ち、フラグ領域３０１によって、そのラインのドットデータが読み出された後なのか、まだ読み出されていないのか、換言すれば、印刷出力済みであるか否か判別できることになる。
【００３３】実施例の装置では、このようなフラグ領域３０１とドットデータ領域３０２のセットが１２８ライン分有る。つまり、実施例の装置は、１ページ分の画像を微小バンド単位に記録するものである。ちなみに、これは１ページ分のライン数はＡ４サイズで８本／mmの印刷密度の場合には約２３２０ラインであるが、１２８ラインはこれよりもはるかに小さいものである。これは、コストダウンのためにビットマップメモリの容量を少なくしているためである。
【００３４】ビットマップメモリ１０７へ最初の１２８ライン分の展開が終了すると、ＣＰＵ１０３は印刷部Ｉ／Ｆ１１５へ指令を出し、プリントスタート信号１４４を出力させる。信号１４１はデフォルト状態ではＨＩＧＨレベルであるので、信号１４４はプリントスタート信号１３１として、印刷部へ送られる。また、この後、印刷部Ｉ／Ｆ１１５は、印刷部から送られてくる公知の水平同期信号及び垂直同期信号に従って、ビットマップメモリ１０７から上から順にドットデータを読み出しては並列直列変換器１１６を介して印刷部にビデオ信号の転送をおこなうことになる。
【００３５】この間、
印刷部Ｉ／Ｆによって読み出されたドットデータのラインは、ＣＰＵによって、次に印刷すべきバンドのドットデータの展開処理を行う。すなわち、ＣＰＵの書き込み処理と、印刷部Ｉ／Ｆの読み出し処理が、いわゆる追いかけっこすることになる
　
（１−ｅ）「【００３９】次に、実施例が直接関係する印刷シミュレーション動作について説明する。
【００４０】ホストコンピュータ１０１から送られて来る印刷データは、通常の印刷時のものと変わらないが、シミュレーションの場合はそれがシミュレーションで有る事を示す特別な制御コードが、上記印刷データの先頭に付いてくる。その状態が図６（ａ）である。
【００４１】シミュレーションコードの有無にかかわらず、ＣＰＵは印刷データに対して、通常の印刷動作と同じく、ドット変換作業を行ない、最初の１２８ライン分のドットデータを、ビットマップメモリ１０７にストアする。
【００４２】次に、ＣＰＵ１０３は、図６の用紙サイズ情報６０２から、図５のレジスタ５０３にライン数データをセットする。ライン数データとは、用紙１枚分のライン数を示すもので、８本／mmの印刷速度の場合、Ａ４サイズで２３２０、Ａ３サイズで３３００である（いずれも十進数）。
【００４３】次に、印刷部Ｉ／Ｆ１１５に、通常の印刷動作と同じく印刷開始命令を出すと同時に、印刷シミュレーション部１１７に対してシステムバスを通じてシミュレーション開始命令を出す。
【００４４】
図５は、印刷シミュレーション部１１７を更に詳しく説明する図である
【００４５】ＣＰＵ１０３からのシミュレーション開始命令は、デコーダ５０１によって信号５１１として出力され、フリップフロップ５０２をセットする。そのため、信号１４１がＬＯＷレベルとなり、印刷部Ｉ／Ｆ１１５からのプリント開始命令１４４はＡＮＤゲート１１８によりゲートされるため、印刷部へは供給されない（つまり、記録紙の搬送やレーザ素子の駆動等が行われず非印刷動作になる）。
【００４６】また、単安定マルチバイブレータ５０４にトリガがかかるため、パルス信号１４２が出力される。信号１３３は、印刷していない状態ではＨＩＧＨレベルであるので、信号１４２は垂直同期信号として印刷部Ｉ／Ｆ１１５に認知される。
【００４７】また、ＡＮＤゲート５５０が開くので、発振器５０７の出力が、１４３として出力され、同じく印刷しない状態では信号１３２はＨＩＧＨレベルであるので、信号１４３は水平同期信号として印刷部Ｉ／Ｆ１１５に認知される。
【００４８】信号１４３のパルス周期は、実際の水平同期信号の周期と同じに設定されている。垂直及び水平同期信号を受けて、印刷部Ｉ／Ｆ１１５は通常の印刷動作と同じ動作を行なうし、ＣＰＵ１０３もまた通常の印刷動作と同じく１２９ライン目以降のドットデータをビットマップメモリ１０７に書き込む。
【００４９】カウンタ５０６は、ライン数が進むに従ってカウントアップし、遂に１ページ分のライン数に達すると、コンパレータ５０５の／Ｐ＝Ｑの出力がＬＯＷレベルになるため、ＡＮＤゲート５５０が閉じ、１ページ分の印刷動作は終了する。以上の信号のタイミングチャートを図４に示す。
【００５０】さて、こうした、
シミュレーション結果は
ホストコンピュータ１０１へ伝えられる
エラーの有無情報６０６
印刷部Ｉ／Ｆ１１５の読み出し動作が、ＣＰＵ１０３の書き込み動作に追いついてしまった場合はエラーとし、追いつかなかった場合はエラー無しとするものである
【００５１】次に、ホストコンピュータ１０１上での動作について説明する。ホストコンピュータは汎用のワークステーションやパーソナルコンピュータ等で良く、それ上に動作するＯＳ（オペレーティングシステム）やそれに付随するソフトドライバ（例えばプリンタドライバを監視するドライバ等）、或はアプリケーションのいずれかが図８に示すような処理を実現すればよい。従って、ここではホストコンピュータ１０１の構成については説明しないが、少なくとも、そのメモリ上には同図の処理を行うプログラムがロードされていることが必要になる。
【００５２】ただし、実施例では、同図に基づくプログラムがＯＳにソフトドライバとして付随させた例を説明する。
【００５３】
ホストコンピュータ１０１で動作しているアプリケーションを使用している操作者が
シミュレーション印刷を指示・解除を行うのかの選択メニューウインドウ
を見て、いずれかを選択する
【００５４】
シミュレーション印刷指示であると判断した場合には
シミュレーション指示コマンドを上記印刷装置に出力する
【００５５】また、シミュレーション解除指示がなされたと判断した場合には、ステップＳ８０４に進んで、シミュレーション解除指示コマンドを転送する（このコマンドは特に説明しなかったが、上記説明からすれば容易に想到することができよう）。
【００５６】いずれにしても、処理はステップＳ８０５に進んで、プリンタがシミュレーション処理中かどうかを判断する。シミュレーション中であると判断した場合には、ステップＳ８０６に進んで、図６（ｂ）に示した形式のデータ受信がなされるのを監視する。そのデータの受信が行われると、ステップＳ８０７に進んで、
受信したエラーの内容をホストコンピュータに備えられた画面に表示する
　
（１−ｆ）図１として、
「
 
」
　　
（１−ｇ）図５として、
「
 
」
　
（１−ｈ）図７として、
「
 
」
　（１−ｉ）図８として、
「
 
」
　
　
　上記の事項をまとめると、刊行物１には、以下の発明が開示されていると認められる。（以下、「刊行物１発明」という。）
　
「ホストコンピュータ１０１と、前記ホストコンピュータ１０１から出力されてきた印刷データをドットデータに変換し、該ドットデータを印刷部に転送し、該印刷データに基づく可視画像を、現像ユニット７０７によって所定の記録媒体上に記録し、出力するレーザビームプリンタ７４０と、からなるシステムであって、
前記レーザビームプリンタ７４０は、
前記ホストコンピュータ１０１からシミュレーション指示を受けた場合、それ以降に受信した印刷データに対しては、プリンタ内部で通常の印刷処理と同様の処理を行ないながらも、実際の記録媒体上への記録を不能にする、シミュレーション部１１７を備え、
前記シミュレーション部１１７で印刷処理を行った結果と、エラーの有無情報６０６とを前記ホストコンピュータ１０１に送信し、前記ホストコンピュータ１０１に備えられた画面に表示する、システム。」　
　　
（２）対比
　本願補正発明と刊行物１発明とを比較する。
　まず、刊行物１発明における
「記録媒体」、
「現像ユニット７０７」、
「通常の印刷処理」、
「プリンタ内部で通常の印刷処理と同様の処理を行ないながらも、実際の記録媒体上への記録を不能にする」構成（処理）、
「シミュレーション指示」、
「印刷データをドットデータに変換」する構成（処理）、
「該ドットデータを印刷部に転送」する構成（処理）、
「シミュレーション部１１７で印刷処理を行った結果と、エラーの有無情報６０６」は、それぞれ、
本願補正発明における
「印刷対象物」、
「印刷対象物を着色する処理を行う着色手段」、
「実印刷処理」、
「仮想印刷処理」、
「仮想印刷要求」または「仮想印刷処理の要求」、
「印刷データを解釈する処理」、
「前記着色手段へ前記印刷データを解釈した結果を供給する処理」、
「仮想印刷処理が正常に完了したか否かを示す仮想印刷結果」に相当する。
　また、刊行物１発明における「ホストコンピュータ１０１」及び「前記ホストコンピュータ１０１から出力されてきた印刷データをドットデータに変換し、該ドットデータを印刷部に転送し、該印刷データに基づく可視画像を、現像ユニット７０７によって所定の記録媒体上に記録し、出力するレーザビームプリンタ７４０」は、本願補正発明における「印刷システム」を構成するものであって、「印刷データを送信する印刷データ送信手段」、「印刷データを受信する印刷データ受信手段」、「印刷対象物に対する着色を実行する実印刷処理をする実印刷手段」、及び、「（印刷対象物の）搬送機構」等を備えることは自明の事項である。
　したがって、刊行物１発明における
「ホストコンピュータ１０１と、前記ホストコンピュータ１０１から出力されてきた印刷データをドットデータに変換し、該ドットデータを印刷部に転送し、該印刷データに基づく可視画像を、現像ユニット７０７によって所定の記録媒体上に記録し、出力するレーザビームプリンタ７４０と、からなるシステム」は、
本願補正発明における
「実印刷処理の要求に係る印刷データおよび仮想印刷処理の要求に係る印刷データをそれぞれ送信する印刷データ送信手段と、
　前記印刷データ送信手段によって送信された印刷データを受信する印刷データ受信手段と、
　印刷対象物を着色する処理を行う着色手段と、
　少なくとも、前記印刷データ受信手段によって受信された前記実印刷処理の要求に係る印刷データを解釈する処理、搬送機構を駆動することで前記印刷対象物を搬送する処理、及び、前記着色手段へ前記印刷データを解釈した結果を供給する処理を行うことにより、前記印刷対象物に対する着色を実行する実印刷処理をする実印刷手段と、を備える印刷システム」に相当する。
　さらに、刊行物１発明における
「前記ホストコンピュータ１０１からシミュレーション指示を受けた場合、それ以降に受信した印刷データに対しては、プリンタ内部で通常の印刷処理と同様の処理を行ないながらも、実際の記録媒体上への記録を不能にする、シミュレーション部１１７」、
「前記シミュレーション部１１７で印刷処理を行った結果と、エラーの有無情報６０６とを前記ホストコンピュータ１０１に送信し、前記ホストコンピュータ１０１に備えられた画面に表示する」構成は、それぞれ、
本願補正発明における
「前記仮想印刷要求受信手段によって仮想印刷要求が受信された場合に、前記印刷データ受信手段によって受信された前記仮想印刷処理の要求に係る印刷データに基づき前記仮想印刷処理を行う仮想印刷手段」、
「前記印刷データ受信手段によって受信された前記仮想印刷処理の要求に係る印刷データに関する前記仮想印刷手段による仮想印刷処理が正常に完了したか否かを示す仮想印刷結果を出力する仮想印刷結果出力手段」に相当し、かつ、
刊行物１発明において、「レーザビームプリンタ７４０」の「シミュレーション部１１７」は「前記ホストコンピュータ１０１からシミュレーション指示を受け」るのであるから、
刊行物１発明における「ホストコンピュータ１０１」、「レーザビームプリンタ７４０」が、それぞれ、
「少なくとも前記搬送機構を駆動することで前記印刷対象物を搬送する処理を行うことなく、前記実印刷処理にて行われる他の処理を行うための、仮想印刷処理を要求するための仮想印刷要求を送信する仮想印刷要求送信手段」、「前記仮想印刷要求送信手段によって送信された仮想印刷要求を受信する仮想印刷要求受信手段」に相当する構成を有することは明らかである。
　
　してみると、本願補正発明と刊行物１発明とは、
「　実印刷処理の要求に係る印刷データおよび仮想印刷処理の要求に係る印刷データをそれぞれ送信する印刷データ送信手段と、
　前記印刷データ送信手段によって送信された印刷データを受信する印刷データ受信手段と、
　印刷対象物を着色する処理を行う着色手段と、
　少なくとも、前記印刷データ受信手段によって受信された前記実印刷処理の要求に係る印刷データを解釈する処理、搬送機構を駆動することで前記印刷対象物を搬送する処理、及び、前記着色手段へ前記印刷データを解釈した結果を供給する処理を行うことにより、前記印刷対象物に対する着色を実行する実印刷処理をする実印刷手段と、
　を備える印刷システムにおいて、
　少なくとも前記搬送機構を駆動することで前記印刷対象物を搬送する処理を行うことなく、前記実印刷処理にて行われる他の処理を行うための、仮想印刷処理を要求するための仮想印刷要求を送信する仮想印刷要求送信手段と、
　前記仮想印刷要求送信手段によって送信された仮想印刷要求を受信する仮想印刷要求受信手段と、
　前記仮想印刷要求受信手段によって仮想印刷要求が受信された場合に、前記印刷データ受信手段によって受信された前記仮想印刷処理の要求に係る印刷データに基づき前記仮想印刷処理を行う仮想印刷手段と、
　前記印刷データ受信手段によって受信された前記仮想印刷処理の要求に係る印刷データに関する前記仮想印刷手段による仮想印刷処理が正常に完了したか否かを示す仮想印刷結果を出力する仮想印刷結果出力手段と
　を備える、印刷システム。」
の点で一致し、以下の点で相違している。
　
［相違点１］：本願補正発明においては、「前記仮想印刷手段による印刷データに基づく仮想印刷処理の開始時から前記仮想印刷手段によって仮想印刷処理された印刷データと同一の実印刷処理の要求に係る印刷データについての前記実印刷手段による実印刷処理が完了するまで当該印刷データ以外の印刷データによる前記仮想印刷処理及び前記実印刷処理を禁止する印刷禁止手段」を備えるのに対し、刊行物１発明においては、そのような特定がない点。
　
［相違点２］：仮想印刷処理に関して、本願補正発明においては、「前記印刷対象物を搬送する処理を行ったと仮定した場合の該仮想印刷処理に必要な前記印刷対象物の枚数を検知し」ているのに対し、刊行物１発明においては、そのような特定がない点。
　
　　
（３）判断
　上記相違点について検討する。
（相違点１について）
　前置報告書において、原審審査官が指摘しているとおり、「１つの印刷ジョブを実行している間に他の印刷ジョブの処理を行わないようにする技術は、本願出願前に周知の技術」である。（必要ならば、特開平６−７１９７９号公報、特開２０００−１５８７６２号公報に加えて、特開平６−１０６７９３号公報、特開平７−２０５４９７号公報等参照。）
　また、刊行物１発明の印刷システムにおいては、本願補正発明と同様に、ＲＡＭの容量等、システムのリソースが必ずしも十分ではないために、「メモリーフル」のようなエラーが発生するのであるから、限られたリソースを用いて仮想印刷処理を行っている間に、他のジョブを受け付ければ、処理が遅くなったり、エラーが発生するなどの支障が生じる懸念があることは明らかである。
　そうすると、印刷システムに印刷禁止手段を備える際に、禁止する期間を「仮想印刷処理の開始時から前記仮想印刷手段によって仮想印刷処理された印刷データと同一の実印刷処理の要求に係る印刷データについての前記実印刷手段による実印刷処理が完了するまで」とし、かつ、禁止する「他の印刷処理」を、「仮想印刷処理及び実印刷処理」とすることは、適宜為し得る設計的事項である。
　したがって、刊行物１発明において、相違点１に係る構成を採用することは、当業者が容易になし得たことである。
　
（相違点２について）
　相違点２に関して、「印刷処理」に先だって、「印刷処理に必要な印刷対象物の枚数を検知」することは、例えば、原審の拒絶査定において提示された、特開平１０−１８１１６３号公報に示されるように、従来周知の事項である。
　したがって、仮想印刷処理においても、「印刷処理に必要な印刷対象物の枚数を検知」する程度のことは、当業者が適宜採用できる設計的事項である。
　
（本願補正発明が奏する効果に関して）
　そして、上記相違点１及び２によって、本願補正発明が奏する「他の印刷ジョブが仮想印刷処理と実印刷処理との間に仮想印刷処理を行ってしまうことにより、他の印刷ジョブが、印刷対象物の残量が十分であると誤判定してしまうといった不都合を防止する」、「自己の印刷ジョブの実印刷を確実に印刷させ、かつ、自己の印刷ジョブの実印刷により、他の印刷ジョブの仮想印刷処理が誤判定してしまうことを防止し、自己の印刷ジョブの印刷処理が他の印刷ジョブの印刷処理の邪魔をしない」（平成２０年８月８日付け回答書第４頁）といった効果も、他のユーザーに印刷処理を邪魔されないように、仮想印刷処理開始から実印刷処理終了までの間、プリンタを独占することと実際上何ら異ならないから、刊行物１に記載された事項及び周知技術から予測し得る程度のものであって、格別のものではない。
　
（４）まとめ
　以上のように、本願補正発明は、刊行物１に記載された発明及び周知技術に基づいて当業者が容易に発明をすることができたものであり、特許法第２９条第２項の規定により特許を受けることができないから、本願補正発明は、特許出願の際独立して特許を受けることができない。
　
３．補正却下の決定についてのむすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３．本願発明について
１．本願発明
　平成１８年７月２１日付けの手続補正は上記のとおり却下されたので、本願の請求項１〜１１に係る発明は、平成１７年１０月２８日付けの手続補正によって補正された特許請求の範囲の請求項１〜１１に記載された事項により特定されるものであり、特に、請求項１に係る発明（以下、「本願発明」という。）は、以下のとおりである。
「印刷データを送信する印刷データ送信手段と、
　前記印刷データ送信手段によって送信された印刷データを受信する印刷データ受信手段と、
　印刷対象物を着色する処理を行う着色手段と、
　少なくとも、前記印刷データ受信手段によって受信された印刷データを解釈する処理、搬送機構を駆動することで前記印刷対象物を搬送する処理、及び、前記着色手段へ前記印刷データを解釈した結果を供給する処理を行うことにより、前記印刷対象物に対する着色を実行する実印刷処理をする実印刷手段と、
　を備える印刷システムにおいて、
　少なくとも前記搬送機構を駆動することで前記印刷対象物を搬送する処理を行うことなく、前記印刷対象物を搬送する処理を行ったと仮定して前記実印刷処理にて行われる他の処理を行う仮想印刷処理を要求するための仮想印刷要求を送信する仮想印刷要求送信手段と、
　前記仮想印刷要求送信手段によって送信された仮想印刷要求を受信する仮想印刷要求受信手段と、
　前記仮想印刷要求受信手段によって仮想印刷要求が受信された場合に、前記印刷データ受信手段によって受信された印刷データに基づき前記仮想印刷処理を行う仮想印刷手段と、
　前記印刷データ受信手段によって受信された印刷データに関する前記仮想印刷手段による仮想印刷処理が正常に完了したか否かを示す仮想印刷結果を出力する仮想印刷結果出力手段と、
　前記仮想印刷手段による印刷データに基づく仮想印刷処理の開始時から前記仮想印刷手段によって仮想印刷処理された印刷データと同一の印刷データについての前記実印刷手段による実印刷処理が完了するまで当該印刷データ以外の印刷データによる前記仮想印刷処理及び前記実印刷処理を禁止する印刷禁止手段と
　を備えることを特徴とする印刷システム。」
　
２．引用刊行物
　これに対して、原査定の拒絶の理由に引用された引用された刊行物１、及び、その記載事項は、前記第２．２．（１−ａ）〜（１−ｉ）で示したとおりである。
　
３．対比・判断
　本願発明は、上記第２．２．で検討した本願補正発明から、「前記仮想印刷処理の要求に係る印刷データ」及び「実印刷処理の要求に係る印刷データ」に関して、「前記仮想印刷処理の要求に係る」又は「実印刷処理の要求に係る」を削除し、かつ、「仮想印刷処理を要求するための仮想印刷要求を送信する仮想印刷要求送信手段」に関して、「該仮想印刷処理に必要な前記印刷対象物の枚数を検知」する点を削除したものである。
　
　そうすると、本願発明の特定事項を全て含み、さらに他の特定事項を付加したものに相当する本願補正発明が、上記第２．２．に記載したとおり、刊行物１に記載された発明及び周知の事項に基づいて当業者が容易に発明をすることができたものであるから、本願発明も、同様の理由により、刊行物１に記載された発明及び周知技術に基づいて当業者が容易に発明をすることができたものである。
　
４．むすび
　以上のとおり、本願の請求項１に係る発明は、刊行物１に記載された発明及び周知技術に基づいて当業者が容易に発明をすることができたものであるから、特許法第２９条第２項の規定により特許を受けることができない。
　したがって、その他の請求項に係る発明について検討するまでもなく、本願は拒絶すべきものである。
　
　よって、結論のとおり審決する。